(57)【要約】【課題】アドレス時の視線からでも、クラブヘッドの構造に影響されずに容易にクラブフェース２の向きを目標に向け、打ち出す方向を目標とボールを通過する線１にスクエアに認識し違和感なくスイートスポット３にボールが当たるようにスイングできるゴルフクラブを提供することを目的としている。【解決手段】アドレス時の視線で視覚上認識される目標とボールを通過する線１に視覚上同方向に動くと知覚される錯視図をクラウン８に施す。【選択図】図６
2009279362.tif 000002
【特許請求の範囲】
【請求項１】
クラブフェースが目標に真正面に向くようにアドレスし構えたとき、アドレス時の視線で視覚上クラブフェイスが目標に対して真正面に向いているように認識させるため、アドレス時の視線で目標とボールを結ぶ線に対して視覚上同方向に静止図が動くと知覚される錯視図がクラブヘッドに施されたゴルフクラブ。
【請求項２】
クラブフェースが目標に真正面に向くようにアドレスし構えたとき、アドレス時の斜め上からの視線で視覚上クラブフェイスが目標に対して真正面に向いているように認識させるため、アドレス時の視線で目標とボールを結ぶ線に対して同方向に静止図が動くと知覚される錯視図をクラブヘッドに施すための、クラブヘッドに装着することを目的としたアドレス時の視線で目標とボールを結ぶ線に対して同方向に静止図が動くと知覚される錯視図。
【発明の詳細な説明】
【技術分野】
【０００１】ゴルフクラブに関する。
【背景技術】
【０００２】  ゴルフ競技において、通常競技者が目標に対してまっすぐな力強い球筋のボールを打つ場合、目標とボールを通過する線１上にクラブフェース２が目標に向くようにアドレスし、インパクト時にクラブフェース２向きと打ち出す方向が目標方向に一致し、さらにスイートスポット３にボールが当たるようにスイングすることが基本とされている。【０００３】  しかし目標とボールを通過する線１上にクラブフェース２が目標に向くように配置されたクラブヘッドは、アドレス時の視線からの認識ではクラブフェース２が目標に向いてないように錯覚したり、スイートスポット３の位置を正しく認識できなかったりすることがある。そのためクラブフェース２の向きを目標にあわせられなかったり、打ち出す方向を錯覚した方向にとってしまったり、スイートスポット３にボールが正しく当たらなかったり、スイング時のスイートスポット３とボールが当たるイメージを正しくできなかったりすることがある。【０００４】  それは次のような従来のクラブヘッドの構造による。【０００５】  ウッド系やマレット型のパターのクラブヘッドは図３、図４のような構造となっている。クラウン８部分の幅が広く取られているのでアドレス時にはクラウン８部分が視覚に大きく入る。通常目標に対してまっすぐな球筋のボールを打つ場合、アドレス時にはクラウン８とフェース最上部の境界あたりの線７を目標とボールを通過する線１に直角にあわせクラブフェース２を目標に向けるのであるが、直角を勘に頼り合わせるので誤認することが多い。また実際にボールがインパクトする部分はクラブフェース２であるにもかかわらず、クラウン８に強く意識が集中しがちになりスイートスポット３にボールが正しく当たらなかったり、スイング時のスイートスポット３とボールが当たるイメージを正しくできなかったりすることがある。【０００６】  なお、クラウン８部分にスイートスポット３の位置、あるいは目標方向を印すためにマーク９やライン１０が施されたりしたものがある。マーク９やライン１０によっても目標方向を認識できるので、線７のみにより目標方向を合わせるよりかは相当容易になっている。ただクラウン８部分にあるマーク９やライン１０は、クラウン８部分が視覚に大きく入りクラブフェース２が認識できにくいため、それらのマーク９やライン１０の目標側先端を打点であると誤認されやすく、打点への集中を妨げることがある。
【発明の開示】
【発明が解決しようとする課題】
【０００７】  目標方向を印すマーク９やライン１０は、視覚上単なる印や、線として認識されるため強く目標方向として意識されないことがある。そのためマーク９やライン１０から目標方向を正しく合わせられなかったり、マーク９やライン１０を打点として認識されてしまうこともある。そのためマーク９やライン１０自体がスイングの妨げとなることがある。
【課題を解決するための手段】
【０００８】  本発明は、目標とボールを通過する線１上に目標に対してクラブフェース２を真正面に向けてアドレスしたとき図１、アドレス時の視線から視覚上クラブフェース２が目標とボールを通過する線１とスクエアな方向であると認識させるため、図５、図６のように目標とボールを通過する線１とアドレス時の視線から視覚上同方向に動くと知覚される錯視図図２をクラウン８部分に施す。この錯視図図２はペイントされたもによるものであるか、メッキによるものか、研磨によるものか、といった加工法によらない、アドレス時の視線で視覚上認識される目標とボールを通過する線１に対して、アドレス時の視線で視覚上同方向に動くと知覚される錯視図図２をクラウン８に施す事である。【０００９】  なお錯視図図２のデザインは本状表記のデザインの錯視図に限定されるものでなく、静止した図柄が一般的に動くと知覚される錯視図のことである。【００１０】  また一般的なアイアン系のゴルフクラブや、Ｌ字型パター、ピン型パター等のクラウン８が狭いゴルフクラブについてはアドレス時の視線から見えるクラブヘッド上部すべてを本状ではクラウン８とみなす。
【発明の効果】
【００１１】  目標方向と同方向の動きを知覚することにより、静止した印や、線として認識されているマーク９やライン１０よりもさらに目標方向に対する意識を強く認識させることが可能となる。また強く方向を認識させることにより錯視図図２を打点と誤認することを抑制する。そのため本発明は従来のゴルフクラブの形状や、デザインを大幅に変えることなく、容易にクラブフェース２の向きを目標に向け、打ち出す方向を目標とボールを通過する線１にスクエアに認識し、違和感なくスイートスポット３にボールが当たるようにスイングできることを可能とした。
【発明を実施するための最良の形態】
【００１２】  目標とボールを通過する線１上に目標方向にクラブフェース２を向けアドレスしたとき図１、アドレス時の視線で視覚上クラブフェース２が目標とボールを通過する線１の方向を向いていることを認識させるため、アドレス時の視線で目標とボールを通過する線１に対して視覚上同方向に動くと知覚される錯視図図２をクラウン８に施す。
【実施例】
【００１３】以下図面を参照して本発明の実施例を説明する。
図３、図４は本発明の一実施例を示すものである。図３、図４を参照するとクラウン８にアドレス時の視線で目標とボールを通過する線１に対して視覚上同方向に動くと知覚される錯視図図２を配置することでアドレス時の視線で目標とボールを通過する線１に対してスクエアな方向を認識させる。【００１４】  以上図示実施例にて説明したが、本発明は上記実施例の態様のみに限定されるものでなく、特許請求の範囲に記載した発明の範囲内においてその構成要素の形態、配置構成等に種々の変更を加えることができる。
【図面の簡単な説明】
【００１５】
【図１】  この図はゴルフクラブを目標に対してクラブフェース２が真正面に向くようにアドレスしたときの、アドレス時の視線の方向からの状態図。
【図２】  この図は静止した中央の図柄が左右に視覚上動いて見えるように知覚される錯視図のコンピュータグラフィックス図。
【図３】  この図はウッド系のゴルフクラブを目標に対してクラブフェース２が真正面に向くようにアドレスしたときの、アドレス時の斜め上からの視線からクラブヘッドをみた図。
【図４】  この図はマレット系パターを目標に対してクラブフェース２が真正面に向くようにアドレスしたときの、クラブヘッドを真上から見た図
【図５】  この図は本発明のマレット系パターを目標に対してクラブフェース２が真正面に向くようにアドレスしたときの、クラブヘッドを真上から見たコンピュータグラフィックス図。
【図６】  この図は本発明のウッド系のゴルフクラブを目標に対してクラブフェース２が真正面に向くようにアドレスしたときの、クラブヘッドを真上からみたコンピュータグラフィックス図。
【符号の説明】
【００１６】１    目標とボールを通過する線
２    クラブフェース
３    スイートスポット
４    ボール
５    目標
６    アドレスしている人
７    クラウン８とフェース最上部の境界あたりにできる線
８    クラウン
９    クラウン８部分にあるマーク
１０  クラウン８部分にあるライン
【図１】
2009279362.tif 000003
【図２】
2009279362.tif 000004
【図３】
2009279362.tif 000005
【図４】
2009279362.tif 000006
【図５】
2009279362.tif 000007
【図６】
2009279362.tif 000008